(57)【要約】    【課題】  開き戸の取付け位置を簡単に調整できるとともに、ダンバーを用いることなく開き戸が風を受けてパタパタと開閉することのないようにした構造を提供する。    【解決手段】同心に配置した開き戸(10)及び戸枠(20)の軸ガイド筒(31A,31B,32A,32B,32C)内には回転軸(34,51)を回転可能に挿通して抜け止めする。回転軸の開き戸の持上げ力に抗する位置及び回転軸の開き戸の荷重を受ける位置の少なくとも２箇所には調整用隙間(33A,33B,33C,33D)を構成し、調整用隙間の間の回転軸には複数のＣ字状の調整ピース(40,41,42) を側方から抜き差し可能に外嵌し、調整ピースを抜き取ることによって開き戸の取付け位置を調整可能とし、抜き取った調整ピースを他方の調整用隙間に差し込むことによって開き戸の開閉に抵抗を与える。【選択図】  図１
2005036529.tif 000002
【特許請求の範囲】
【請求項１】
開き戸を戸枠に対して開閉可能に取付けてなる開き戸の取付け構造において、
上記開き戸及び戸枠には１又は複数の軸ガイド筒が形成され、上記開き戸側の軸ガイド筒と上記戸枠側の軸ガイド筒とが同心に配置され、該同心の軸ガイド筒内には回転軸が回転可能に挿通されて抜け止めされている一方、
上記回転軸の開き戸の持上げ力に抗する位置及び上記回転軸の開き戸の荷重を受ける位置の少なくとも２箇所には調整用隙間が構成され、該少なくとも２箇所の調整用隙間の間の回転軸には該調整用隙間を塞ぐように複数のＣ字状の調整ピースが側方から抜き差し可能に外嵌されており、
上記少なくとも２箇所のうちの一方の調整用隙間から１又は複数の調整ピースを抜き取ることによって開き戸の取付け位置が調整可能であり、上記抜き取った１又は複数の調整ピースを他方の調整用隙間に差し込むことによって上記開き戸の開閉に抵抗が与えられていることを特徴とする開き戸の取付け構造。
【請求項２】
上記開き戸には蝶番の一方の羽根が固定され、上記戸枠には蝶番の他方の羽根が固定され、上記一方及び他方の羽根には１又は複数の軸ガイド筒が形成され、上記一方及び他方の羽根の軸ガイド筒が同心に配置され、該同心の軸ガイド筒内には回転軸が回転可能に挿通されて抜け止めされている一方、
上記回転軸は上記一方及び他方の羽根の軸ガイド筒の軸線方向の総長さよりも長い寸法を有しており、上下に隣接する上記軸ガイド筒の間のうち、上記回転軸の開き戸の持上げ力に抗する位置及び上記回転軸の開き戸の荷重を受ける位置の少なくとも２箇所には調整用隙間が構成され、該少なくとも２箇所の調整用隙間の間の回転軸には該調整用隙間を塞ぐように複数のＣ字状の調整ピースが側方から抜き差し可能に外嵌されている請求項１記載の開き戸の取付け構造。
【請求項３】
上記回転軸は両端の拡径部によって上記軸ガイド筒から抜け止めされ、上下に隣接する上記軸ガイド筒の間及び上下に隣接する上記軸ガイド筒と回転軸の拡径部との間のうち、上記回転軸の開き戸の持上げ力に抗する位置及び上記回転軸の開き戸の荷重を受ける位置の少なくとも２箇所には上記調整用隙間が構成されている請求項２記載の開き戸の取付け構造。
【請求項４】
上記開き戸には上方及び下方の軸ガイド筒が同心に配置して固定され、上記戸枠には上方及び下方の回転軸が相互に同心となるように固定され、上記開き戸の上方の軸ガイド筒は上記戸枠の上方の回転軸に下方から回転可能に外嵌され、上記開き戸の下方の軸ガイド筒は上記戸枠の下方の回転軸に上方から回転可能に外嵌され、
上記開き戸の上方の軸ガイド筒と上方の回転軸の基部との間及び上記開き戸の下方の軸ガイド筒と下方の回転軸の基部との間に調整用隙間が構成され、該調整用隙間の間の上方及び下方の回転軸には該調整用隙間を塞ぐように複数のＣ字状の調整ピースが側方から抜き差し可能に外嵌されている請求項１記載の開き戸の取付け構造。
【請求項５】
上記開き戸には上方及び下方の回転軸が相互に同心となるように固定され、上記戸枠には上方及び下方の軸ガイド筒が同心に配置して固定され、上記開き戸の上方の回転軸は戸枠の上方の軸ガイド筒に下方から回転可能に嵌入され、上記開き戸の下方の回転軸は戸枠の下方の軸ガイド筒に上方から回転可能に嵌入され、
上記戸枠の上方の軸ガイド筒と開き戸の上方の回転軸の基部との間及び上記戸枠の下方の軸ガイド筒と開き戸の下方の回転軸の基部との間には調整用隙間が構成され、該調整用隙間の間の上方及び下方の回転軸には調整用隙間を塞ぐように複数のＣ字状の調整ピースが側方から抜き差し可能に外嵌されている請求項１記載の開き戸の取付け構造。
【請求項６】
開き戸を戸枠に対して開閉可能に取付ける蝶番において、
上記開き戸に固定され、１又は複数の軸ガイド筒が同心に形成された一方の羽根と、
上記戸枠に固定され、１又は複数の軸ガイド筒が同心に形成され、該１又は複数の軸ガイド筒が上記一方の羽根の軸ガイド筒の間にて同心に配置される他方の羽根と、
上記一方及び他方の羽根の軸ガイド筒を同心にして上下に重ねた寸法よりも長い寸法を有し、上記同心の一方及び他方の羽根の軸ガイド筒内に回転可能に挿通されて抜け止めされた回転軸と、
上下に隣接する上記軸ガイド筒の間のうち、上記回転軸の開き戸の持上げ力に抗する位置及び上記回転軸の開き戸の荷重を受ける位置の少なくとも２箇所の調整用隙間の間の回転軸に該調整用隙間を塞ぐように側方から抜き差し可能に外嵌された複数のＣ字状の調整ピースと、
を備えたことを特徴とする蝶番。
【請求項７】
上記回転軸は両端の拡径部によって上記軸ガイド筒から抜け止めされ、上下に隣接する上記軸ガイド筒の間及び上下に隣接する上記軸ガイド筒と回転軸の拡径部との間のうち、上記回転軸の開き戸の持上げ力に抗する位置及び上記回転軸の開き戸の荷重を受ける位置の少なくとも２箇所には上記調整用隙間が構成されている請求項６記載の蝶番。
【発明の詳細な説明】
【技術分野】
【０００１】
この発明は開き戸の取付け構造に関し、特に開き戸の取付け位置を簡単に調整できるとともに、ダンバーを用いることなく開き戸が風を受けてパタパタと開閉することのないようにした構造に関する。
【背景技術】
【０００２】
開き戸は各種の蝶番や回転軸を用いて戸枠に開閉自在に取付けられるが、取付け位置がわずか数ｍｍでも狂っていると、開き戸が戸枠と干渉して滑らかに開閉できないことがある。また、開き戸を長年使用した結果、開き戸や戸枠に歪が生じた場合も同様に、開き戸が戸枠と干渉してしまうことがある。
【０００３】
このような場合、開き戸を戸枠から外し、蝶番を再度位置決めして取付け直したり、あるいは開き戸や戸枠の干渉する部分を削ったりすることが行われていたが、家庭の主婦が簡単に行えるような方法ではなかった。
【０００４】
これに対し、蝶番を構成する二枚の羽根の一方には高さ方向の下半部の軸ガイド筒を形成して回転軸を嵌入し、他方の羽根には高さ方向の上半部の軸ガイド筒を形成して回転軸を遊嵌し、上下の軸ガイド筒の間の回転軸にリング状又はＣ字状の隙間調整ピースを外嵌し、開き戸の高さを調整するようにした方法が提案されている（特許文献１、特許文献２、参照）。
【特許文献１】実開平０５−６２６８２号公報
【特許文献２】実開昭５７−７１６７０号公報
【発明の開示】
【発明が解決しようとする課題】
【０００５】
しかし、特許文献１記載の方法では隙間調整ピースがリング状をなしているので、開き戸を戸枠から取外さないと、隙間調整ピースを回転軸に外嵌させることができず、重い開き戸の場合には調整が煩雑である。
【０００６】
他方、特許文献２記載の方法では隙間調整ピースがＣ字状をなしているので、開き戸を持ち上げておいて側方から回転軸に外嵌させることができ、重い開き戸の場合にも比較的調整が容易であるものの、開き戸の開閉性能が開き戸の重さのみによって決まるので、軽い開き戸の場合には開き戸が風を受けてパタパタと開閉してしまうおそれがある。これに対し、開き戸にダンパーを設けて開き戸の開閉に抵抗を付与することが行われているが、コスト高になってしまう。
【０００７】
本発明はかかる問題点に鑑み、開き戸の取付け位置を簡単に調整できるとともに、ダンバーを用いることなく開き戸が風を受けてパタパタと開閉することのないようにした開き戸の取付け構造を提供することを課題とする。
【課題を解決するための手段】
【０００８】
そこで、本発明に係る開き戸の取付け構造は、開き戸を戸枠に対して開閉可能に取付けてなる開き戸の取付け構造において、上記開き戸及び戸枠には１又は複数の軸ガイド筒が形成され、上記開き戸側の軸ガイド筒と上記戸枠側の軸ガイド筒とが同心に配置され、該同心の軸ガイド筒内には回転軸が回転可能に挿通されて抜け止めされている一方、上記回転軸の開き戸の持上げ力に抗する位置及び上記回転軸の開き戸の荷重を受ける位置の少なくとも２箇所には調整用隙間が構成され、該少なくとも２箇所の調整用隙間の間の回転軸には該調整用隙間を塞ぐように複数のＣ字状の調整ピースが側方から抜き差し可能に外嵌されており、上記少なくとも２箇所のうちの一方の調整用隙間から１又は複数の調整ピースを抜き取ることによって開き戸の取付け位置が調整可能であり、上記抜き取った１又は複数の調整ピースを他方の調整用隙間に差し込むことによって上記開き戸の開閉に抵抗が与えられていることを特徴とする。
【０００９】
本発明の特徴の１つは回転軸の開き戸の持上げ力に抗する位置及び回転軸の開き戸の荷重を受ける位置の少なくとも２箇所に調整用隙間を構成し、少なくとも２箇所の調整用隙間の間の回転軸に調整用隙間を塞ぐように複数のＣ字状の調整ピースを側方から抜き差し可能に外嵌するようにした点にある。
【００１０】
これにより、一方の調整用隙間から１又は複数の調整ピースを抜き取ると、開き戸の重みによって戸枠に対する開き戸の取付け位置が低くなるか、又は開き戸を上方に持ち上げることができるようになる。一方の調整用隙間から調整ピースを抜き取ることによって開き戸の取付け位置が低くなる場合には他方の調整用隙間は大きくなる。この他方の調整用隙間に抜き取った１又は複数の調整ピースを差し込むことによって塞ぐことができ、こうして開き戸の取付け位置を簡単に調整することができるとともに、開き戸の開閉に適度な抵抗を付与することができ、開き戸が風を受けてパタパタと開閉することはない。
【００１１】
また、一方の調整用隙間から調整ピースを抜き取ることによって開き戸を上方に持ち上げることができる場合には開き戸を持ち上げて他方の調整用隙間を大きくし、この他方の調整用隙間に抜き取った１又は複数の調整ピースを差し込むことによって一方の調整用隙間は狭い隙間に保持され、他方の調整用隙間は大きくした隙間に保持され、こうして開き戸の取付け位置を簡単に調整することができるとともに、開き戸の開閉に適度な抵抗を付与することができ、開き戸が風を受けてパタパタと開閉することはない。
【００１２】
例えば、羽根蝶番を用いる場合には本発明は次のように構成することができる。即ち、開き戸には蝶番の一方の羽根を固定し、戸枠には蝶番の他方の羽根を固定し、一方及び他方の羽根には１又は複数の軸ガイド筒を形成し、一方及び他方の羽根の軸ガイド筒を同心に配置し、同心の軸ガイド筒内には回転軸を回転可能に挿通されて抜け止めする一方、回転軸は一方及び他方の羽根の軸ガイド筒の軸線方向の総長さよりも長い寸法となし、上下に隣接する軸ガイド筒の間のうち、回転軸の開き戸の持上げ力に抗する位置及び回転軸の開き戸の荷重を受ける位置の少なくとも２箇所には調整用隙間を構成し、少なくとも２箇所の調整用隙間の間の回転軸には調整用隙間を塞ぐように複数のＣ字状の調整ピースを側方から抜き差し可能に外嵌すればよい。
【００１３】
回転軸は最下段の軸ガイド筒の下端及び最上段の軸ガイド筒の上端に蓋を固定して抜け止めしてもよく、又回転軸の両端に拡径部を一体的に形成しあるいは螺合や溶接等によって固定することによって抜け止めするようにしてもよい。回転軸を両端の拡径部によって軸ガイド筒から抜け止めする場合、上下に隣接する軸ガイド筒の間及び上下に隣接する軸ガイド筒と回転軸の拡径部との間のうち、回転軸の開き戸の持上げ力に抗する位置及び回転軸の開き戸の荷重を受ける位置の少なくとも２箇所に調整用隙間を構成することができる。
【００１４】
また、回転軸と軸ガイド筒とによって開き戸を戸枠に取付ける構造もある。この場合、開き戸には上方及び下方の軸ガイド筒を同心に配置して固定し、戸枠には上方及び下方の回転軸を相互に同心となるように固定し、開き戸の上方の軸ガイド筒は戸枠の上方の回転軸に下方から回転可能に外嵌し、開き戸の下方の軸ガイド筒は戸枠の下方の回転軸に上方から回転可能に外嵌し、開き戸の上方の軸ガイド筒と上方の回転軸の基部との間及び開き戸の下方の軸ガイド筒と下方の回転軸の基部との間に調整用隙間を構成し、調整用隙間の間の上方及び下方の回転軸には該調整用隙間を塞ぐように複数のＣ字状の調整ピースを側方から抜き差し可能に外嵌すればよい。
【００１５】
また、上記とは逆に、回転軸を開き戸に、軸ガイド筒を戸枠に設けるようにしてもよい。即ち、開き戸には上方及び下方の回転軸を相互に同心となるように固定し、戸枠には上方及び下方の軸ガイド筒を同心に配置して固定し、開き戸の上方の回転軸は戸枠の上方の軸ガイド筒に下方から回転可能に嵌入し、開き戸の下方の回転軸は戸枠の下方の軸ガイド筒に上方から回転可能に嵌入し、戸枠の上方の軸ガイド筒と開き戸の上方の回転軸の基部との間及び戸枠の下方の軸ガイド筒と開き戸の下方の回転軸の基部との間には調整用隙間を構成し、調整用隙間の間の上方及び下方の回転軸には調整用隙間を塞ぐように複数のＣ字状の調整ピースを側方から抜き差し可能に外嵌するように構成することもできる。
【００１６】
また、上述のように取付け位置を調整でき、しかも開き戸の開閉に抵抗を与えることのできる開き戸の取付け構造に用いられる蝶番も斬新である。
【００１７】
即ち、本発明に係る蝶番は、開き戸を戸枠に対して開閉可能に取付ける蝶番において、上記開き戸に固定され、１又は複数の軸ガイド筒が同心に形成された一方の羽根と、上記戸枠に固定され、１又は複数の軸ガイド筒が同心に形成され、該１又は複数の軸ガイド筒が上記一方の羽根の軸ガイド筒の間にて同心に配置される他方の羽根と、上記一方及び他方の羽根の軸ガイド筒を同心にして上下に重ねた寸法よりも長い寸法を有し、上記同心の一方及び他方の羽根の軸ガイド筒内に回転可能に挿通されて抜け止めされた回転軸と、上下に隣接する上記軸ガイド筒の間のうち、上記回転軸の開き戸の持上げ力に抗する位置及び上記回転軸の開き戸の荷重を受ける位置の少なくとも２箇所の調整用隙間の間の回転軸に該調整用隙間を塞ぐように側方から抜き差し可能に外嵌された複数のＣ字状の調整ピースと、を備えたことを特徴とする。
【００１８】
回転軸は最下段の軸ガイド筒の下端及び最上段の軸ガイド筒の上端に蓋を固定して抜け止めしてもよく、又回転軸の両端に拡径部を一体的に形成し、螺合や溶接等によって固定して抜け止めするようにしてもよい。回転軸を両端の拡径部によって軸ガイド筒から抜け止めする場合、上下に隣接する軸ガイド筒の間及び上下に隣接する軸ガイド筒と回転軸の拡径部との間のうち、回転軸の開き戸の持上げ力に抗する位置及び回転軸の開き戸の荷重を受ける位置の少なくとも２箇所には調整用隙間を構成することができる。
【発明を実施するための最良の形態】
【００１９】
以下、本発明を図面に示す具体例に基づいて詳細に説明する。図１及び図２は本発明に係る開き戸の取付け構造の好ましい実施形態を示す。図において、ドア外枠（戸枠）２０には木製ドア（開き戸）１０が蝶番３０によって回転軸３４の廻りに開閉可能に取付けられている。なお，木製ドアではなく、金属製ドアであってもよい。
【００２０】
蝶番３０は２枚の羽根３１、３２及び回転軸３４から構成され、羽根３１、３２には複数のねじ穴が穿設され、木ねじによって木製ドア１０及びドア外枠２０の端面に取付けられている。
【００２１】
一方の羽根３１には２つの軸ガイド筒３１Ａ、３１Ｂが上下に間隔をあけて同心に形成され、他方の羽根３２には３つの軸ガイド筒３２Ａ、３２Ｂ、３２Ｃが上下に間隔をあけて同心に形成されている。これらの軸ガイド筒３１Ａ、３１Ｂ、３２Ａ〜３２Ｃは相互に他方の軸ガイド筒３２Ａ〜３２Ｃ、３１Ａ、３１Ｂの間に嵌め込まれて同心に配置され、該同心の軸ガイド筒３１Ａ、３１Ｂ、３２Ａ〜３２Ｃ内には回転軸３４が回転可能に挿通され、両端の拡径部３４Ａによって抜け止めされている。
【００２２】
なお、本例では回転軸４２の両端部に雄ねじを刻設し、拡径部３４Ａには雌ねじを刻設し、雌雄のねじを螺合させることによって拡径部３４Ａは回転軸３４の両端に固定されているが、下回転軸３４の下端の拡径部３４Ａについて回転軸３４の製造時に加工によって形成してもよい。
【００２３】
この回転軸３４の両端の拡径部３４Ａの間の寸法は相互に接するように重ねた軸ガイド筒３１Ａ、３１Ｂ、３２Ａ〜３２Ｃの上下方向の総長さよりも長い寸法に設定され、これによって隣接する軸ガイド筒３１Ａ、３１Ｂ、３２Ａ〜３２Ｃの間には木製ドア１０の持上げ力に抗する位置に調整用隙間３３Ａ、３３Ｃが、木製ドア１０の荷重を受ける位置には調整用隙間３３Ｂ、３３Ｄが構成されるようになっている。
【００２４】
これらの調整用隙間３３Ａ〜３３Ｄの間の回転軸３４には３枚の調整ピース４０、４１、４２が調整用隙間３３Ａ〜３３Ｄをピッタリと塞ぐように側方から外嵌されている。従って、一方の羽根３１と他方の羽根３２とは相互にガタツキなく円滑に回動するようになっている。
【００２５】
この調整ピース４０〜４２は適切な材料、例えばステンレス鋼や合成樹脂材料を用いて製作され、内径が回転軸３４の外径に等しい平面ほぼＣ字状をなし、相互に異なる厚み、例えば１ｍｍ、２ｍｍ、３ｍｍの厚みに設定され、又調整ピース４０〜４２の背面には適切な工具、例えばラジオペンチで掴むことのできる小突起４０Ａ、４１Ａ、４２Ａが形成されている。
【００２６】
なお、小突起４０Ａ、４１Ａ、４２Ａに代え、図２の(c)に示されるように、調整ピース４０、４１、４２の背面部分に肉厚を薄くした部分（図では調整ピース４０の薄肉部分４０Ｂのみを図示している）を形成し、この部分をラジオペンチ等で掴むようにしてもよい。
【００２７】
木製ドア１０の取付け位置を高く調整する場合、木製ドア１０を開いた状態とし、木製ドア１０の持上げ力に抗する位置の調整用隙間３３Ａ、３３Ｃに外嵌されている調整ピース４０、４１、４２のうち、調整寸法に対応する厚みの１つ又は２つの調整ピース４０、４１、４２の小突起４０Ａ、４１Ａ、４２Ａをラジオペンチで掴み、回転軸３４から引き抜く。
【００２８】
すると、引き抜いた調整ピース４０〜４２の厚みの分だけ木製ドア１０を持ち上げることができ、これによって木製ドア１０の荷重を受ける位置の調整用隙間３３Ｂ、３３Ｄが大きくなるので、そこに引き抜いた調整ピース４０〜４２を差し込んで回転軸３４に外嵌すると、木製ドア１０は持ち上げた位置に保持され、こうして木製ドア１０の取付け位置を高く調整することができる。
【００２９】
同時に、木製ドア１０の持上げ力に抗する位置の調整用隙間３３Ａ、３３Ｃ及び木製ドア１０の荷重を受ける位置の調整用隙間３３Ｂ、３３Ｄは共に調整ピース４０〜４２によってピッタリと塞がれ、木製ドア１０の開閉に所定の抵抗を付与できるので、開き戸が風を受けてパタパタと開閉することはない。
【００３０】
木製ドア１０の取付け位置を高く調整する場合、今度は木製ドア１０の荷重を受ける位置の調整用隙間３３Ｂ、３３Ｄから調整ピース４０〜４２を引き抜き、これを木製ドア１０の持上げ力に抗する位置の調整用隙間３３Ａ、３３Ｃの間の回転軸３４に差し込んで回転軸３４に外嵌すればよい。
【００３１】
以上のように、木製ドア１０を持ち上げて調整ピース４０〜４２を抜き差しすればよいので、家庭の主婦にも木製ドア１０の取付け位置を簡単に調整できる。
【００３２】
また、調整用隙間３３Ａ〜３３Ｄを常に調整ピース４０〜４２で塞いでいるので、木製ドア１０の開閉に所定の抵抗を付与することができ、軽い木製ドア１０であっも風を受けてパタパタ開閉することはない。
【００３３】
図３は第２の実施形態を示し、図において図１及び図２と同一符号は同一又は相当部分を示す。本例では一方の羽根３１に２つの軸ガイド筒３１Ａ、３１Ｂを、他方の羽根３２には１つの軸ガイド筒３２Ａを形成し、軸ガイド筒３１Ａ、３１Ｂ、３２Ａの間に木製ドア１０の持上げ力に抗する位置の１つの調整用隙間３３Ａと、木製ドア１０の荷重を受ける位置の１つの調整用隙間３３Ｂとを構成し、この調整用隙間３３Ａ、３３Ｂに調整ピース４０〜４２を外嵌しており、このような構造を採用することもできる。
【００３４】
図４は第３の実施形態を示し、図において図１及び図２と同一符号は同一又は相当部分を示す。本例では一方の羽根３１に１つの軸ガイド筒３１Ａを、他方の羽根３２には１つの軸ガイド筒３２Ａを形成し、軸ガイド筒３１Ａ、３２Ａの間に木製ドア１０の持上げ力に抗する位置の１つの調整用隙間３３Ａを、軸ガイド筒３２Ａと回転軸の拡径部３４Ａ戸の間に木製ドア１０の荷重を受ける位置の１つの調整用隙間３３Ｂを構成し、この調整用隙間３３Ａ、３３Ｂに調整ピース４０〜４２を外嵌している。このように回転軸の拡径部３４Ａを利用して調整用隙間を構成するようにしてもよい。
【００３５】
図５は第４の実施形態を示し、図において図１及び図２と同一符号は同一又は相当部分を示す。本例では例えば金属製ドア（開き戸）１０に上方及び下方の軸ガイド筒５０を同心に配置して固定し、ドア外枠（戸枠）２０にはほぼＬ字状をなす上方及び下方の回転軸５１を相互に同心となるように固定し、金属製ドア１０の上方の軸ガイド筒５０はドア外枠２０の上方の回転軸５１に下方から回転可能に外嵌し、金属製ドア１０の下方の軸ガイド筒５０はドア外枠２０の下方の回転軸５１に上方から回転可能に外嵌している。
【００３６】
そして、金属製ドア１０の上方の軸ガイド筒５０と上方の回転軸５１の基部との間に金属製ドア１０の持上げ力に抗する位置の調整用隙間３３Ａを、金属製ドア１０の下方の軸ガイド筒５０と下方の回転軸５１の基部との間に金属製ドア１０の荷重を受ける位置の調整用隙間３３Ｂを構成し、調整用隙間３３Ａ、３３Ｂの間の上方及び下方の回転軸５１には調整用隙間をピッタリと塞ぐように複数のＣ字状の調整ピース４０〜４２を側方から抜き差し可能に外嵌している。
【００３７】
図６は第５の実施形態を示し、図において図５と同一符号は同一又は相当部分を示す。本例が第４の実施形態と異なるのは回転軸５１を真直な形態としている点である。
【図面の簡単な説明】
【００３８】
【図１】本発明に係る開き戸の取付け構造の好ましい実施形態を示す概略斜視図であにく。
【図２】上記実施形態における蝶番及び調整ピースを示す図である。
【図３】第２の実施形態を示す図である。
【図４】第３の実施形態を示す図である。
【図５】第４の実施形態を示す図である。
【図６】第５の実施形態を示す図である。
【符号の説明】
【００３９】
１０      ドア（開き戸）
２０      ドア外枠（戸枠）
３０      蝶番
３１、３２      羽根
３１Ａ  ３１Ｂ  ３２Ａ  ３２Ｂ  ３２Ｃ      軸ガイド筒
３３Ａ  ３３Ｂ  ３３Ｃ  ３３Ｄ      調整用隙間
３４      回転軸
３４Ａ    拡径部
４０、４１、４２      調整ピース
５０      軸ガイド筒
５１      回転軸
【図１】
2005036529.tif 000003
【図２】
2005036529.tif 000004
【図３】
2005036529.tif 000005
【図４】
2005036529.tif 000006
【図５】
2005036529.tif 000007
【図６】
2005036529.tif 000008